(57)【要約】【課題】虫に電撃を与える捕虫器において、殺虫能力を維持しながら、電撃に必要な陽極と陰極間の電圧を下げることで電撃音を小さくする。【解決手段】捕虫器は複数の電極部３を備え、各電極部３の陽極３３と陰極３４とは、交互に配置され、略同じ方向を向いた略針状であり、各々の根元部３６から先端部３７に向かうに連れて相互に近づくように配置されている。対を成す陽極３３と陰極３４の先端部３７の間隔が短くなるので、電撃殺虫に必要な電圧を下げることができる。このため、電撃音を小さくすることができる。また、複数対の両端に位置する陽極３３又は陰極３４の先端部３７間の距離よりも虫が大きい場合には、複数の対でもって虫に電撃を与えることができる。従って、１対の電極間の電圧を下げたとしても、殺傷能力を維持することができる。【選択図】図２
2010142193.tif 000002
【特許請求の範囲】
【請求項１】
誘虫源と、前記誘虫源により誘引されてきた虫に電撃を与える対を成す陽極と陰極とから成る電極部と、を備えた捕虫器において、
前記電極部は、複数設けられ、各電極部の陽極と陰極とが、交互に配置され、略同じ方向を向いた略針状であり、各々の根元部から先端部に向かうに連れて相互に近づくように配置されていることを特徴とする捕虫器。
【請求項２】
前記陽極及び陰極は、所定の長さを持つ第１の対と、前記第１の対の間に配置された、第１の対よりも長さの短い第２の対とを含むことを特徴とする請求項１に記載の捕虫器。
【発明の詳細な説明】
【技術分野】
【０００１】
本発明は、虫を誘引して捕殺する捕虫器に関する。
【背景技術】
【０００２】
従来から、捕虫器の一種として、誘虫源と、その誘虫源により誘われてきた虫に電撃を与えて殺虫する電極部とを備えた電撃殺虫器が知られている（例えば、特許文献１〜特許文献４参照）。この種の捕虫器においては、電撃殺虫時に大きな電撃音が生じるので、ユーザが不快感を覚えることがある。そのため、電撃音の低減が望まれていた。電撃音を小さくするためには、電撃殺虫器の電極部への印加電圧を下げることが考えられるが、そのようにした場合、大型の虫を殺虫することが難しくなることがあり、殺虫能力が落ちる虞がある。
【特許文献１】実開平２−１４５０７９号公報
【特許文献２】特開２００２−５１６８１号公報
【特許文献３】特開平６−１２５６８８号公報
【特許文献４】特開平８−３３２０１５号公報
【発明の開示】
【発明が解決しようとする課題】
【０００３】
本発明は、上記の従来の問題を解決するためになされたものであり、虫を誘って電極部の陽極と陰極とにより虫に電撃を与える捕虫器において、殺虫能力を維持しながら、電撃に必要な陽極と陰極間の電圧を下げることで電撃音を小さくすることができ、電撃音に起因してユーザが感じる不快感を抑えることができる捕虫器を提供することを目的とする。
【課題を解決するための手段】
【０００４】
上記目的を達成するために請求項１の発明は、誘虫源と、前記誘虫源により誘引されてきた虫に電撃を与える対を成す陽極と陰極とから成る電極部と、を備えた捕虫器において、前記電極部は、複数設けられ、各電極部の陽極と陰極とが、交互に配置され、略同じ方向を向いた略針状であり、各々の根元部から先端部に向かうに連れて相互に近づくように配置されているものである。
【０００５】
請求項２の発明は、請求項１に記載の捕虫器において、前記陽極及び陰極は、所定の長さを持つ第１の対と、前記第１の対の間に配置された、第１の対よりも長さの短い第２の対とを含むものである。
【発明の効果】
【０００６】
請求項１の発明によれば、電極部の対を成す陽極と陰極の先端部の間隔が短くなるので、電撃殺虫に必要な電圧を下げることができる。このため、電撃音を小さくすることができ、電撃音に起因してユーザが感じる不快感を抑えることができる。また、複数対の両端に位置する陽極又は陰極の先端部間の距離よりも虫が大きい場合には、複数の対でもって虫に電撃を与えることができる。従って、１対の電極間の電圧を下げたとしても、殺傷能力を維持することができる。
【０００７】
請求項２の発明によれば、第１の対の間をすり抜ける小型の虫に対して、第２の対により電撃を与えて殺虫することができるので、殺虫能力の向上を図ることができる。
【発明を実施するための最良の形態】
【０００８】
本発明の一実施形態に係る捕虫器について図面を参照して説明する。図１（ａ）（ｂ）は、本実施形態に係る捕虫器１の構成を示す。捕虫器１は、ハエ又は蚊等の飛翔性を有する虫Ｂ１を誘引し、それらの虫Ｂ１に電撃を与えて殺虫するものであり、虫Ｂ１の多い屋外空間や屋外空間に面する建物内の空間等に設置される。捕虫器１は、誘虫源２と、誘虫源２により誘引されてきた虫Ｂ１に放電による電撃を与える電極部３と、誘虫源２及び電極部３を収容する筐体４と、電撃により殺傷されて落ちる虫Ｂ１を受ける虫受皿５とを備える。筐体４は、その前面４１及び背面４２に、虫Ｂ１が通過する開口４３を有し、開口４３は、ユーザの電極部３への接触を防ぐガード部４４で覆われている。また、筐体４は、捕虫器１を建物の天井等に吊り下げるためのチェーン４５を有する。虫受皿５は、筐体４の底部に着脱自在に設けられている。
【０００９】
誘虫源２は、誘虫効果を有する紫外線を放出する紫外線誘虫ランプ２１（以下、ランプ２１と略記）で構成される。ランプ２１は、例えば直管状であり、略水平に配置されている。ランプ２１は、誘虫効果を高めるため、虫Ｂ１の走光曲線又は視感度曲線に基づいた波長成分を有し、例えば略３４０〜３８０［ｎｍ］の波長帯域内にピークを有する。ランプ２１の種類としては、例えば、水銀灯、メタルハライドランプ又はキセノンランプ等のＨＩＤランプが挙げられる。誘虫源２は、誘虫効果の有る光を放出する光源であれば、その構成は特に限定されない。
【００１０】
電極部３は、誘虫源２と筐体４の前面４１の開口４３との間、及び誘虫源２と筐体４の背面の開口４３との間に、それぞれ、複数設けられ、縦１列に並んでいる。電極部３は、図示の数に限定されず、複数であればよい。電極部３は、誘虫源２の長手方向に沿って延びた棒状部材３１に突設された略針状の電極３２（以下、針状電極３２と称す、図１（ａ）では不図示）で構成される。棒状部材３１は略水平に配置されており、針状電極３２は棒状部材３１に複数本設けられ、筐体４の開口４３が在る方向を向いている。電極部３は、筐体４内部に設けられた変圧器６と不図示の配線で接続されており、変圧器６は電源コード７を介して商用電源と接続され給電される。商用電源からの電源コード７を介した給電は誘虫源２に対しても行われる。
【００１１】
図２（ａ）〜（ｃ）は、電極部３の構成を示す。針状電極３２は、虫Ｂ１に電撃を与える対を成す陽極３３と陰極３４とを構成し、それらは略同じ長さである。陽極３３及び陰極３４は１対で電極部３を構成し、電極部３は１本の棒状部材に複数設けられている。各電極部３の陽極３３及び陰極３４は、棒状部材３１の長手方向にも短手方向にも交互に配置されており、マトリクス状に並んでいる。陽極３３及び陰極３４は、隣り合う陽極３３又は陰極３４と、棒状部材に埋設された絶縁部材３５で絶縁されている。絶縁部材３５は、陽極３３及び陰極３４の突出方向から見て、棒状部材３１の長手方向に並んだ陽極３３と陰極３４とを、例えば鍵山の形状に沿って区切っている。
【００１２】
図２（ｃ）に示されるように、棒状部材３１の筐体４の開口４３（不図示）を向いた面が、断面視で凹んだ円弧状に形成されており、その面に陽極３３及び陰極３４が設けられている。棒状部材３１の短手方向に並んだ陽極３３及び陰極３４は、上述の棒状部材３１の面形状に基づき、側面視で、略同じ方向を向き、かつ各々の根元部３６から先端部３７に向かうに連れて相互に近づくように配置されており、例えば略扇状に配置されている。棒状部材３１の陽極３３及び陰極３４が設けられる面の形状は上記に限定されない。
【００１３】
棒状部材３１の短手方向に並んだ複数対の陽極３３及び陰極３４は、それらの両端に位置する先端部３７間の距離が、殺虫対象とする虫Ｂ１の大きさ以下とされている。上述の距離は、例えば略３［ｍｍ］とされるが、これに限定されない。対の数え方に関しては、各々１個の陽極３３と陰極３４とで成る対を１対と数える。又は、隣り合うように配置された陽極３３と陰極３４とを１対と数え、例えば１個の陽極３３の両側に陰極３４が在る場合には２対と数えてもよい。
【００１４】
陽極３３と陰極３４との間の印加電圧は、それらの間隔に応じた電圧とし、例えば略４００〜２０００［V］とする。陽極３３及び陰極３４は金属等の導電性が高い材料で形成される。また、陽極３３及び陰極３４は弾性力を有する材料から形成されることが望ましく、その形状は可能な限り尖っていることが望ましい。
【００１５】
上記のように構成された捕虫器１においては、電源コード７が商用電源と接続され電源が投入されると、ランプ２１が点灯し、虫Ｂ１を誘引する紫外線が放出されると共に、電極部３の陽極３３と陰極３４との間に電圧が印加される。その放出される紫外線に虫Ｂ１が誘引され、陽極３３と陰極３４の先端部３７の間に虫Ｂ１の体が一部でも入ると、陽極と陰極との間で絶縁破壊が発生する。これにより、虫Ｂ１を通して陽極３３と陰極３４との間に電流が流れ、虫Ｂ１に電撃が与えられる。感電した虫Ｂ１は、主に感電の際の発熱により熱死又は焼死し、虫受け皿５上に落下する。
【００１６】
本実施形態においては、電極部３の対を成す陽極３３と陰極３４の先端部３７の間隔が短くなるので、電撃殺虫に必要な電圧を下げることができる。このため、電撃音を小さくすることができ、電撃音に起因してユーザが感じる不快感を抑えることができる。また、複数対の両端に位置する陽極３３又は陰極３４の先端部３７間の距離よりも虫Ｂ１が大きい場合には、複数の対でもって虫Ｂ１に電撃を与えることができる。従って、１対の電極間の電圧を下げたとしても、殺傷能力を維持することができる。
【００１７】
また、陽極３３及び陰極３４は、マトリクス状に配置され、かつ縦方向にも横方向にも交互に配置されているので、縦に並んだ陽極３３と陰極３４とによっても、横に並んだそれらによっても虫Ｂ１に電撃を加えることができる。従って、殺虫率の向上を図ることができる。
【００１８】
次に、上記実施形態の一変形例に係る捕虫器について図３（ａ）（ｂ）を参照して説明する。図３（ａ）（ｂ）は、本変形例の捕虫器１の陽極３３及び陰極３４の構成を示す。同図においては絶縁部材３５の図示を省略する。陽極３３及び陰極３４は、所定の長さを持つ第１の対３８と、第１の対３８の間に配置された、第１の対３８よりも長さの短い第２の対３９とを含む。第２の対３９は複数設けられていることが望ましい。第２の対３９を成す陽極３３及び陰極３４の個数は図示の個数に限定されない。
【００１９】
本変形例においては、第１の対３８の間をすり抜ける小型の虫に対して、第２の対３９により電撃を与えて殺虫することができるので、殺虫能力の向上を図ることができる。また、第２の対３９が複数在る場合には、上記実施形態による効果と同様に、電撃に必要な各対への印加電圧を下げることができ、電撃音を小さくできる。また、１対の電極間の電圧を下げたとしても、複数対による電撃が可能であるので、殺傷能力を維持することができる。
【００２０】
次に、上記とは別の変形例に係る捕虫器について図４を参照して説明する。図４は、本変形例の捕虫器の構成を示す。本変形例の捕虫器１には、上記実施形態と比べ、上方を向いた針状電極３２と、下方を向いた針状電極３２が棒状部材３１にさらに配設されている。針状電極３２は、上記の向きに限定されず、筐体４の開口４３から誘虫源２に向かう虫Ｂ１の飛翔方向（矢印で示す）に向けて設けられていればよい。
【００２１】
なお、本発明は、上記実施形態及び各種変形例の構成に限定されるものでなく、使用目的に応じ、様々な変形が可能である。例えば、誘虫源２は、誘虫効果を有するものであれば特に限定されず、ＵＶ−ＬＥＤ、又は誘虫性が有る匂いを発する匂い発生源で構成されていても構わない。誘虫源２が匂い発生源を構成する場合、その匂い発生源には、虫を誘うアルコール又は糖質等を含有した物質を設ける。また、針状電極３２は、棒状部材３１に限定されず、他の形状の部材に設けられていてもよい。また、棒状部材３１の短手方向、すなわち、縦方向に並んだ陽極３３及び陰極３４の先端部３７だけが相互に近づくのではなく、横方向に並んだ陽極３３及び陰極３４の先端部３７も相互に近づくように配置されていてもよい。また、陽極３３及び陰極３４は、棒状部材３１の略平らな形状の面に、先端部３７が相互に近づくように傾けられていてもよい。この場合、交互に並んだ陽極３３及び陰極３４の長さは外側ほど長くし、側面視で、先端部３７が形成する線を略直線状又は凹んだ略円弧状とする。
【図面の簡単な説明】
【００２２】
【図１】（ａ）は本発明の一実施形態に係る捕虫器の斜視図、（ｂ）はその断面図。
【図２】（ａ）は上記捕虫器の電極部の斜視図、（ｂ）は上記電極部の陽極と陰極の配置を示す図、（ｃ）は上記電極部の側面図。
【図３】（ａ）は上記実施形態の一変形例に係る捕虫器の電極部の側面図、（ｂ）は（ａ）のＡ枠部分の拡大図。
【図４】上記とは別の変形例に係る捕虫器の断面図。
【符号の説明】
【００２３】
１  捕虫器
２  誘虫源
３  電極部
３３  陽極
３４  陰極
３６  根元部
３７  先端部
３８  第１の対
３９  第２の対
【図１】
2010142193.tif 000003
【図２】
2010142193.tif 000004
【図３】
2010142193.tif 000005
【図４】
2010142193.tif 000006